(57)【要約】【課題】筆記具におけるスタイラスチップの出没操作が簡単でないという問題点があった。【解決手段】先具２が一体または別体に設けられた軸筒１と、この軸筒内にリターンスプリング５によって後方に付勢され摺動可能に設けられたレフィール４とからなるノック式繰り出し具において、このレフィールの後端に係合された回転カム６と、内壁にカム溝３５を有しかつ軸筒の後部に固設された尾冠３と、この尾冠と回転カムとの間に設けられ先部におねじ７１を有する中空のプランジャ７と、このプランジャのおねじと螺合するめねじ８３を有しかつ外側に係合部を有するスタイラスチップ８と、尾冠内を摺動可能であって、かつスタイラスチップの係合部がその内側に形成された係合案内部に係合されてその中を移動せしめられスタイラスチップがその後端より突出される中空のノック部材９とから構成されてなる。【選択図】図１
2006088631.tif 000002
【特許請求の範囲】
【請求項１】
先具が一体または別体に設けられた軸筒と、この軸筒内にリターンスプリングによって後方に付勢されかつノック部材のノック操作により摺動可能に設けられた筆記部材とからなる筆記具において、軸筒の後部にノック部材の回転操作により繰り出されるスタイラスチップを有するスタイラス機構を設けたことを特徴とするスタイラス機構付き筆記具。
【請求項２】
先具が一体または別体に設けられた軸筒と、この軸筒内にリターンスプリングによって後方に付勢され摺動可能に設けられた筆記部材とからなる筆記具において、この筆記部材の後端に係合された回転カムと、内壁に固定カムを有しかつ軸筒の後部に固設された尾冠と、この尾冠と回転カムとの間に設けられ先部におねじを有する中空のプランジャと、
このプランジャのおねじと螺合するめねじを有しかつ外側に係合部を有するスタイラスチップと、尾冠内を摺動可能であって、かつスタイラスチップの係合部がその内側に形成された係合案内部に係合されてその中を移動せしめられスタイラスチップがその後端より突出される中空のノック部材とから構成されてなることを特徴とするスタイラス機構付き筆記具。
【請求項３】
前記請求項１または２のスタイラス機構付き筆記具において、前記スタイラスチップは、筆記部材の使用時において、スタイラスチップが移動しないようにストッパを備えたことを特徴とするスタイラス機構付き筆記具。
【請求項４】
前記請求項２のスタイラス機構付き筆記具において、前記プランジャのめねじの先端部分の溝を浅く形成することによって、ノック部材の回転摩擦抵抗を大きくしてなることを特徴とするスタイラス機構付き筆記具。
【発明の詳細な説明】
【技術分野】
【０００１】
この発明は、ボールペン、シャープペンシル等の筆記具の後端に、回転繰り出し式スタイラスチップを有するスタイラス機構付き筆記具に関する。
【背景技術】
【０００２】
従来、スタイラスチップの先端が常時露出しているかまたはキャップが被されていた。前者は、不使用時にスタイラスチップの先端が何かに当たったり、引っ掛けたりするおそれがあった。また、後者は、使用時には、わざわざキャップの取り外しのための操作に力が要り、その上、外したキャップを紛失してしまうおそれがあった。  さらに、筆記芯と共にスタイラスチップを選択的に使用可能とする筆記具が提案されていた。しかしながら、これは筆記部材をスタイラスチップと共に同時に使用可能とするものではなかった。
【特許文献１】特開２００２−６２９７６号公報
【発明の開示】
【発明が解決しようとする課題】
【０００３】
この発明が解決しようとする問題点は、スタイラスチップは先端が細くなっているので、使用時以外はキャップを被せておく必要があったが、キャップの着脱は嵌合構造の解除のための力が要り不便であった。また、筆記部材とスタイラスチップと共に軸筒に関して出没自在とする筆記具はなかった。
【課題を解決するための手段】
【０００４】
上記問題点を解決するために、ノック部材を回転するだけでスタイラスチップの出没を可能とする。すなわち、この発明によれば、先具が一体または別体に設けられた軸筒と、この軸筒内にリターンスプリングによって後方に付勢されかつノック部材のノック操作により摺動可能に設けられた筆記部材とからなる筆記具において、軸筒の後部にノック部材の回転操作により繰り出されるスタイラスチップを有するスタイラス機構を設けたことを特徴とする。
【発明の効果】
【０００５】
簡単な構造で、筆記芯等の筆記部材をノック操作により出没させたり、スタイラスチップの出没をノック部材の回転によって簡単かつ確実に可能とするとともに筆記部材とスタイラスチップとを同時に使用可能とする利点がある。
【発明を実施するための最良の形態】
【０００６】
この発明は、ノック操作による筆記芯の出没と回転操作によるスタイラスチップの出没とが、簡単かつ確実にできる筆記具を実現した。
【実施例１】
【０００７】
以下、この発明の実施例によるスタイラス機構付きボールペンについて図１から図１８を参照して詳細に説明する。
【０００８】
図１はボールペン及びスタイラスペンともに使用時の状態を示す図であり、図２は、スタイラスチップ収納時でボールペン使用時の状態を示す図であり、および図３は、スタイラスチップ使用時でボールペン収納時の状態を示す図である。図において、軸筒１の先部には、先具２が着脱可能に取り付けられている。なお、この先具２は軸筒１と一体のいわゆる一本軸でも良い。さらに、軸筒１の後端部には、尾冠３が圧入・固設されている。
【０００９】
図４は、軸筒１に固設される尾冠３を示す図であり、図５はこの尾冠３と後述するプランジャ７との関係を示す図である。まず、尾冠３の筒状本体３１にはクリップ３２が一体的に形成されている。そして、クリップ３２の裏側の筒状本体３１の外壁には軸筒１の係止孔１１に係止される係止突起３３が設けられている。この係止突起３３は、尾冠３が軸筒１内に圧入されたときに、軸筒１の後部に対応する位置に形成された係止孔１１に係止されるので一旦セットされると簡単に動かないようにロックされている。
【００１０】
またクリップ３２の基部の前側には軸筒１の後端切り欠き１２に係合する嵌合突部３４が設けられている。また、筒状本体３１の内周には後述する回転カム６と係合するいわゆる固定カムとしてのカム溝３５が形成されている。さらに、筒状本体３１の前端から長手方向に後方に向かってスリット３６が形成されている。そして、筒状本体３１の上部は大径とされて前部との間に段部３７が形成されてなり、この段部近傍の内周に係止リブ３８が形成されている。
【００１１】
次に、軸筒１に関して長手方向に摺動する機構部分について説明する。軸筒１内にはボールペンレフィール４がリターンスプリング５によって常時後方に付勢され、前後に摺動可能に設けられている。即ち、レフィール４は一端に先端チップ４２を有しかつ前部外壁にスプリング係止部４１を備えており、この係止部４１と先具２との間にリターンスプリング５が装着されている。そして、レフィール４の後端は回転カム６のカム部６１内に受けられている。この回転カム６のカム部６１は、尾冠３のカム溝３５と係合する係合部と後述するプランジャ７の歯合部７２と歯合する歯合部とを備えている。そして、この回転カム６の外側にはワンピースプランジャ７が設けられている。
【００１２】
図６から図９は、このプランジャ７を示し、このプランジャ７は一端に回転カム６のカム部６１上端と歯合する歯合部７２を備え、かつ他端側に二条のおねじ７１を有している。なお、このおねじ７１は、パーティングライン付近でアンダーカットになる部分の形状を逃しておくと成形上都合が良い。また、このおねじ７１の先端部分に位置するねじ溝の底を少し浅くし、後述するスタイラスチップ８のめねじ８３との摩擦抵抗を大きくしておくと、ノック部材９の回転操作の臨界付近において制動機能が働き操作上フィーリングが良くなる。
【００１３】
そして、プランジャ７の歯合部７２からやや離間した位置には先鋭部を有する平坦な係止リブ７３が形成されている。そして、図３に示すようにスタイラスチップ８がノック部材９の頂部開口９１から突出される際に、尾冠３の係止リブ３８に当接・係止される。さらに、このおねじ７１の基端におけるプランジャ７の外周には、おねじ７１の側が面取りされた係止フランジ７４が形成されている。さらに、この係止フランジ７４から歯合部７２側に離間して大フランジ７５が形成されている。この大フランジ７５は歯合部７２に傾斜壁を有している。また、歯合部７２近傍にはストッパ突部７６が形成されている。さらに、プランジャ７の長手方向には成形用コアピンを抜くための一対のスリット７７が形成されている。
【００１４】
そして、図１０から図１３に示すように、このプランジャ７のおねじ７１には、先端チップ８２を有する中空のスタイラスチップ８が螺合されている。即ち、スタイラスチップ８の内周には二条のめねじ８３が形成されている。このスタイラスチップ８の外側には筒状のノック部材９が回転自在に設けられている。図において、スタイラスチップ８は、大径のチップ本体８１とその先部の先端チップ８２とからなり、チップ本体８１の内側に二条のめねじ８３が形成されており、その外側には長手方向にガイドリブ８４が対向して設けられており、これらのガイドリブ８４上には凸部８５がそれぞれ形成されている。さらにチップ本体８１後端から先方向に向かってスリット８６が一対形成されている。
【００１５】
図１４から図１８は、ノック部材９を示し、ノック部材９は中空の筒状体からなり、スタイラスチップ８が出没できる頂部開口９１を有し、側壁に対向する係止貫通孔９２を有し、かつ一端開口から離間した位置から後方に向かって内壁の長手方向にスタイラス案内溝９３が形成されている。この案内溝９３の開口先端部は前方に向かって次第に拡開している。なお、このノック部材９の外周壁には必要に応じて滑り止め用のローレットを形成しておいても良い。
【００１６】
次に、上記実施例の筆記具の構成を理解するために、その組み立て順序を説明する。まず、スタイラスチップ８のめねじ８３をワンピースプランジャ７のおねじ７１と螺合せしめてユニットを作る。このユニットをノック部材９内に組み込んでノックユニットを作る。このノックユニットを尾冠３内に組み込んで尾冠ユニットを作る。最後にこの尾冠ユニットを、リターンスプリング５とレフィール４がセットされた軸筒１に組み込んで筆記具を完成する。
【００１７】
以下、この発明による筆記具の動作を説明する。まず、通常の筆記具としてボールペンを使用する場合には、ノック部材９をノックすると、リターンスプリング５の後方への付勢力に抗してスタイラスチップ８、プランジャ７および回転カム６がともに前進される。この前進過程で、レフィール４も回転カムに係合して前進するが、この間回転カム６のカムが尾冠３のカム溝３５に案内されて回転し、カム溝３５の先端にて係止される。即ち、レフィール４が前進せしめられて、先具２の先端開口からレフィール４の先端チップ４２が突出されて筆記可能状態になる。なお、レフィール４の先端チップ４２を軸筒内に収納する場合には、再度ノックすると回転カム６は尾冠３のカム溝３５との係合が解除され、リターンスプリング５の付勢力によって後退せしめられて収納される。
【００１８】
他方、レフィール４が軸筒１内に退没した状態でスタイラスチップ８を使用する場合には、軸筒１または尾冠３を持って固定し、ノック部材９を一方向に回転する。すると、スタイラスチップ８が、ノック部材９に形成されたスタイラス用案内溝９３内にスタイラスチップ８のストッパリブが係合しているので共に回転せしめられる。すると、プランジャ７の歯合部が固定カムに係止された回転カム６のカム部上端と歯合して回転が阻止されているので、結局プランジャ７とスタイラスチップ８との螺合により、スタイラスチップ８が押し上げられてノック部材９の頂部開口９１から突出されて使用可能となる。
【００１９】
なお、レフィール４が先具２の開口から突出されて筆記可能状態の場合においても、スタイラスチップ８も使用可能状態に突出せしめることができる。即ち、ノック部材９がノックされて下降した状態においてもノック部材９を回転してスタイラスチップ８を突出することは可能である。この場合、ノック部材９が自由に後退することはない。その理由は
プランジャ７にストッパ突起７６が設けられていて、これが尾冠３の係止リブ３８に係止されるからである。また、スタイラスチップ８が突出して使用可能な場合にも、スタイラスチップ８またはノック部材９をノックすることによってボールペンレフィール４を前進させて先端チップ４２を先具２の開口から突出することができる。なお、スタイラスチップ８をノック部材内に収納する場合には、ノック部材９を上記繰り出しと逆方向に回転すればよい。
【００２０】
従って、この発明による筆記具の動作モードとしては、次のとおり種々の操作が可能である。
モード１：スタイラスチップ収納時に、ボールペンの繰り出し操作
モード２：ボールペン収納時に、スタイラスチップの繰り出し操作
モード３：スタイラスチップ使用時に、ボールペンの繰り出し操作
モード４：ボールペン使用時に、スタイラスチップの繰り出し操作
【００２１】
上記実施例においては、筆記具としてボールペンについて説明をしたが、ボールペン以外のシャープペンシル等の筆記具にもこの発明が適用されうることは明らかである。
【図面の簡単な説明】
【００２２】
【図１】この発明の実施例によるスタイラス機構付き筆記具を示し、ボールペンおよびスタイラスチップの使用時を示す縦断面図である。
【図２】スタイラスチップ収納時でボールペン使用時の筆記具の要部拡大縦断面図である。
【図３】スタイラスチップ使用時でボールペン収納時の筆記具の要部拡大縦断面図である。
【図４】尾冠の拡大縦断面図である。
【図５】尾冠とプランジャとの係合関係を示す横断面図である。
【図６】プランジャの拡大正面図である。
【図７】プランジャの縦断面図である。
【図８】プランジャのＡ−Ａ線に沿う横断面図である。
【図９】プランジャの底面図である。
【図１０】スタイラスチップの正面図である。
【図１１】スタイラスチップの側面図である。
【図１２】スタイラスチップの縦断面図である。
【図１３】スタイラスチップの底面図である。
【図１４】ノック部材の拡大正面図である。
【図１５】ノック部材の拡大縦断面図である。
【図１６】ノック部材のＢ−Ｂ線に沿う拡大縦断面図である。
【図１７】ノック部材のＣ−Ｃ線に沿う縦断面図である。
【図１８】ノック部材のＤ−Ｄ線に沿う横断面図である。
【符号の説明】
【００２３】
１    軸筒
１１  係止孔
１２  後端切り欠き
２    先具
３    尾冠
３１  筒状本体
３２  クリップ
３３  係止突起
３４  嵌合突部
３５  カム溝
３６  スリット
３７  段部
３８  係止リブ
４  レフィール
４１  スプリング係止部
４２  先端チップ
５    リターンスプリング
６    回転カム
６１  カム部
７    プランジャ
７１  おねじ
７２  歯合部
７３  係止リブ
７４  係止フランジ
７５  大フランジ
７６  ストッパ突部
７７  スリット
８  スタイラスチップ
８１  チップ本体
８２  先端チップ
８３  めねじ
８４  ガイドリブ
８５  凸部
８６  スリット
９    ノック部材
９１  頂部開口
９２  貫通孔
９３  案内溝
【図１】
2006088631.tif 000003
【図２】
2006088631.tif 000004
【図３】
2006088631.tif 000005
【図４】
2006088631.tif 000006
【図５】
2006088631.tif 000007
【図６】
2006088631.tif 000008
【図７】
2006088631.tif 000009
【図８】
2006088631.tif 000010
【図９】
2006088631.tif 000011
【図１０】
2006088631.tif 000012
【図１１】
2006088631.tif 000013
【図１２】
2006088631.tif 000014
【図１３】
2006088631.tif 000015
【図１４】
2006088631.tif 000016
【図１５】
2006088631.tif 000017
【図１６】
2006088631.tif 000018
【図１７】
2006088631.tif 000019
【図１８】
2006088631.tif 000020
【手続補正書】
【提出日】平成17年10月18日(2005.10.18)
【手続補正１】
【補正対象書類名】特許請求の範囲
【補正対象項目名】請求項４
【補正方法】変更
【補正の内容】
【請求項４】
前記請求項２のスタイラス機構付き筆記具において、前記プランジャのおねじの先端部の溝を浅く形成することによって、ノック部材の回転摩擦抵抗を大きくしてなることを特徴とするスタイラス機構付き筆記具。